(57)【要約】【課題】本発明は、係る従来技術の課題を解決するために成されたものであり、自動車用車体カバーの装着が簡単、且つ、折り畳まなくても保管収納することができ、然も、自動車を洗車することができる自動車用車体カバー装置を提供する。【解決手段】車体上面カバー１２と、一対の車体側面カバー２０と、自動車５０の前後何れか一端部に着脱自在に取り付け可能とされた車体カバー収納具３４とを備える。車体カバー収納具３４は、車体カバー巻取装置３６を備える。車体上面カバー１２及び両車体側面カバー２０が車体カバー巻取装置３６に巻き取られた状態で車体カバー収納具３４内に収納される。車体カバー巻取装置３６から引き出された状態で、車体上面カバー１２は少なくとも自動車５０の上面を覆い、両車体側面カバー２０は少なくとも自動車５０の両側面をそれぞれ覆って車体上面カバー１２と接続可能に構成される。【選択図】図１
2013056634.tif 000002
【特許請求の範囲】
【請求項１】
車体上面カバーと、
一対の車体側面カバーと、
自動車の前後何れか一端部に着脱自在に取り付け可能とされた車体カバー収納具とを備え、
該車体カバー収納具は、前記車体上面カバー及び両車体側面カバーを巻取／引出可能な車体カバー巻取装置を有し、
該車体カバー巻取装置に巻き取られた状態で、前記車体上面カバー及び両車体側面カバーは前記車体カバー収納具内に収納されると共に、
前記車体カバー巻取装置から引き出された状態で、前記車体上面カバーは少なくとも前記自動車の上面を覆い、前記両車体側面カバーは少なくとも前記自動車の両側面をそれぞれ覆って前記車体上面カバーと接続可能に構成されていることを特徴とする自動車用車体カバー装置。
【請求項２】
前記車体上面カバー及び両車体側面カバーは、端部に設けられて前記自動車の端部に着脱自在に係合可能な伸縮自在の係合部材と、裏面に設けられた洗車部材と、内部に設けられた放水部材とを有すると共に、
前記車体カバー巻取装置は、駆動装置と、該駆動装置を制御する制御装置とを有し、
該制御装置は、前記駆動装置を制御することにより、前記車体カバー巻取装置に前記車体上面カバー及び両車体側面カバーを所定寸法巻き取り、その後引き出す動作を繰り返す洗車モードを有することを特徴とする請求項１に記載の自動車用車体カバー装置。
【発明の詳細な説明】
【技術分野】
【０００１】
本発明は、自動車を覆って、当該自動車表面を紫外線や風雨或いはほこりや汚れ或いは傷などから保護するための自動車用車体カバー装置に関するものである。
【背景技術】
【０００２】
従来紫外線や雨、雪、ほこりや汚れなどの自然環境から車体を保護するため、耐候性を有する防水シート材にて上から車体に被せる、所謂自動車用車体カバーにて自動車を覆っていた。この種自動車用車体カバーは、自動車の車体上面を覆う天面部と、その両側に設けられた左右側面部とから構成され、その自動車用車体カバーを車体に被せた状態において、左右両側面部の同士を、車体下方を通る紐などの固定ベルトで繋いで固定できるようにしたものがあった（特許文献１参照）。
【０００３】
また、自動車用車体カバーに設けられた引っ掛ける部分を、自動車の前部及び後部に通常設けられているバンパー等に引っ掛けて固定できるようにした技術も開示されている。このような自動車用車体カバーは、折り畳まれたもの使用時に展開して自動車の上面と両側面を覆うことにより装着し、不使用時には折り畳んで保管していた。
【特許文献１】実開平１−１７９０１８号公報
【発明の開示】
【発明が解決しようとする課題】
【０００４】
しかしながら、自動車用車体カバーは、不使用時には保管のため折り畳むことになるが、折り畳みに際しては自動車用車体カバーを適当にたぐり寄せ、適当に折り畳むことが多い。このため、自動車用車体カバーに折り目やしわができて自動車全体を覆う１枚の自動車用車体カバーでは嵩張ってしまい、洗浄が困難であり、取り扱いも困難であるという問題があった。
【０００５】
また、自動車用車体カバーを使用時には使用者がこれを展開して自動車に装着し、不使用時には折り畳んで保管しなければならない。このため、自動車用車体カバーの使用時には展開してから装着し、不使用時には折り畳んでから保管しなければならないため、取り扱いに時間がかかり面倒であるという問題があった。
【０００６】
本発明は、係る従来技術の課題を解決するために成されたものであり、自動車用車体カバーの装着が簡単、且つ、折り畳まなくても保管収納することができ、然も、自動車を洗車することができる自動車用車体カバー装置を提供することを目的とする。
【課題を解決するための手段】
【０００７】
即ち、本発明の自動車用車体カバー装置は、車体上面カバーと、一対の車体側面カバーと、自動車の前後何れか一端部に着脱自在に取り付け可能とされた車体カバー収納具とを備え、該車体カバー収納具は、車体上面カバー及び両車体側面カバーを巻取／引出可能な車体カバー巻取装置を有し、該車体カバー巻取装置に巻き取られた状態で、車体上面カバー及び両車体側面カバーは車体カバー収納具内に収納されると共に、車体カバー巻取装置から引き出された状態で、車体上面カバーは少なくとも自動車の上面を覆い、両車体側面カバーは少なくとも自動車の両側面をそれぞれ覆って車体上面カバーと接続可能に構成されていることを特徴とする。
【０００８】
また、請求項２の発明の自動車用車体カバー装置は、上記に加えて、車体上面カバー及び両車体側面カバーは、端部に設けられて自動車の端部に着脱自在に係合可能な伸縮自在の係合部材と、裏面に設けられた洗車部材と、内部に設けられた放水部材とを有すると共に、車体カバー巻取装置は、駆動装置と、該駆動装置を制御する制御装置とを有し、該制御装置は、駆動装置を制御することにより、車体カバー巻取装置に車体上面カバー及び両車体側面カバーを所定寸法巻き取り、その後引き出す動作を繰り返す洗車モードを有することを特徴とする。
【発明の効果】
【０００９】
本発明によれば、車体上面カバーと、一対の車体側面カバーと、自動車の前後何れか一端部に着脱自在に取り付け可能とされた車体カバー収納具とを備え、該車体カバー収納具は、車体上面カバー及び両車体側面カバーを巻取／引出可能な車体カバー巻取装置を有し、該車体カバー巻取装置に巻き取られた状態で、車体上面カバー及び両車体側面カバーは車体カバー収納具内に収納されると共に、車体カバー巻取装置から引き出された状態で、車体上面カバーは少なくとも自動車の上面を覆い、両車体側面カバーは少なくとも自動車の両側面をそれぞれ覆って車体上面カバーと接続可能に構成されているので、例えば、車体上面カバーと両車体側面カバーとをそれぞれ別々に車体カバー巻取装置に巻き取り、別々に展開されることにより、車体カバー収納具に収納、引き出しが容易に行えると共に、自動車用車体カバーを巻き取ることにより嵩張りを最小限に抑えることができる。これにより、従来のように１枚で自動車上面及び側面全体を覆う自動車用車体カバーのような嵩張りも解消でき、極めて容易に取り扱うことができるようになる。従って、自動車用車体カバー装置の利便性を大幅に向上させることができるようになるものである。
【００１０】
特に、自動車用車体カバーが車体カバー巻取装置から引き出された状態で、例えば、車体上面カバーと両車体側面カバーとを平面状に形成すれば、車体上面カバーと両車体側面カバーを極めて容易に車体カバー収納具に収納、引き出しが可能となる。また、車体上面カバー単独で自動車上面を覆うことができ、また、両車体側面カバー単独で自動車の左右両側面をそれぞれ覆うことができるので、自動車用車体カバーを極めて容易に自動車に装着することができると共に、自動車用車体カバーを車体カバー収納具内に巻き取る際、当該自動車用車体カバーにて自動車表面を擦ってほこりや汚れを落とすことができる。従って、格別に拭き取り操作をすることなく、自動車用車体カバーの装着と収納を行うだけで自動車を常時綺麗に維持することが可能となる。
【００１１】
また、請求項２の発明によれば、上記に加えて、車体上面カバー及び両車体側面カバーは、端部に設けられて自動車の端部に着脱自在に係合可能な伸縮自在の係合部材と、裏面に設けられた洗車部材と、内部に設けられた放水部材とを有すると共に、車体カバー巻取装置は、駆動装置と、該駆動装置を制御する制御装置とを有し、該制御装置は、駆動装置を制御することにより、車体カバー巻取装置に車体上面カバー及び両車体側面カバーを所定寸法巻き取り、その後引き出す動作を繰り返す洗車モードを有するので、例えば、制御装置にて放水部材から放水させると共に、駆動装置を制御して車体上面カバー及び両車体側面カバーを所定寸法巻き取って係合部材を伸張し、その後駆動装置を逆回転させて係合部材を収縮させる動作を繰り返す。これにより、車体上面カバー及び両車体側面カバーに設けた洗車部材を前後に移動させて自動車の洗車を行えるので、例えば、セダンタイプの屋根の低い通常自動車の洗車は勿論のこと、ミニバンなど屋根の高い自動車の洗車も楽に行うことができる。また、自動車の洗浄時に洗車部材も洗浄できる。従って、紫外線や雨、雪、ほこりや汚れなどの自然環境から車体を保護し、且つ、自動車の洗車及び洗車部材の洗浄も行えるので、総じて自動車用車体カバー装置の利便性を大幅に向上させることができるようになるものである。
【００１２】
特に、放水部材から放水して自動車の洗車を行うことで、自動車用車体カバーも水洗いできるので、自動車と自動車用車体カバーとの両方を常に綺麗な状態に維持させることができる。従って、自動車用車体カバー装置の利便性を更に向上させることができるようになるものである。
【図面の簡単な説明】
【００１３】
【図１】本発明の自動車用車体カバー装置の平面図である。
【図２】本発明の自動車用車体カバー装置を適用した自動車の斜視図（斜め後方視認図）である。
【図３】本発明の自動車用車体カバー装置を適用した自動車の斜視図（斜め前方視認図）である。
【発明を実施するための最良の形態】
【００１４】
本発明の自動車用車体カバー装置は、自動車用車体カバーの装着を容易に行うため、車体カバー収納具内に車体上面カバー及び両車体側面カバーを巻取／引出可能な車体カバー巻取装置を設けたことを特徴とする。車体カバー巻取装置にて自動車用車体カバーを巻取／引出するため、自動車用車体カバーを車体上面カバーと、一対の車体側面カバーとに分割するだけの簡単な構造で実現した。
【実施例１】
【００１５】
次に、図面に基づき本発明の実施の形態を詳述する。図１は本発明の一実施例を示す自動車用車体カバー装置１０の平面図、図２は本発明の自動車用車体カバー装置１０を適用した自動車５０の斜視図（斜め後方視認図）、図３は本発明の自動車用車体カバー装置１０を適用した自動車５０の斜視図（斜め前方視認図）をそれぞれ示している。
【００１６】
本実施形態における自動車用車体カバー装置１０は、図１に示すように、自動車５０上面５２を覆う車体上面カバー１２と、左右側面６２、６４（この場合自動車５０の窓下部）を自動車５０の前端部から後端部に渡って覆う一対の車体側面カバー２０と、これら車体上面カバー１２と両車体側面カバー２０とを収納可能な筺体からなる車体カバー収納具３４とから構成されている。即ち、自動車用車体カバーは、車体上面カバー１２と一対の車体側面カバー２０とに３分割している。尚、以降、自動車５０の前進方向前端を前端部、後端を後端部、右方向を右側、左方向を左側と称す。また、車体上面カバー１２と一対の車体側面カバー２０を併せて自動車用車体カバーと称す。また、自動車５０は説明の都合上セダンタイプとしている。
【００１７】
該車体上面カバー１２は、自動車５０の上面５２（ボンネット部５４や屋根部５６、及びトランク部５８などの上面（図２に図示））を覆う上面覆い片１４と、自動車５０の両側に設けられている窓部６０（図２に図示）を覆う窓覆い片１６とから構成されている。上面覆い片１４は、自動車５０の前後に設けられているバンパー部６６間に渡って延在する長さに構成されると共に、自動車５０の上面５２より両窓部６０方向に約１００ｍｍ〜２００ｍｍ幅広に構成された縦長略矩形状に形成されている。この場合、上面覆い片１４を、自動車５０の上面５２より約１００ｍｍ〜２００ｍｍ広く構成することにより、当該上面覆い片１４の幅の広い部分が両車体側面カバー２０の上に重なるように構成されている。
【００１８】
窓覆い片１６は、自動車５０の左右の窓部６０を覆うもので、自動車５０の上面５２を上面覆い片１４にて覆った状態で、左右の窓に対応する位置に当該上面覆い片１４に連続して設けられている。即ち、窓覆い片１６は、自動車５０の窓部６０形状に形成されて、上面覆い片１４の長手方向に直行して両側に設けられると共に、上面覆い片１４と窓覆い片１６は、平面状に形成されている。
【００１９】
また、車体側面カバー２０は、自動車５０の左側面６２と右側面６４を覆うもので、車体カバー収納具３４から自動車５０の左右側面６２、６４を覆えるように構成されている。これらの両車体側面カバー２０は、縦長略矩形状に形成されると共に、平面状に形成されている。詳しくは、一対の車体側面カバー２０は、自動車５０の前進方向に対して左右側面６２、６４で窓部６０から下方部分、且つ、車体カバー収納具３４から自動車５０前端部に設けられた左右前照灯の略中間まで延在している。これら車体上面カバー１２及び車体側面カバー２０としては、防塵機能や防水機能を有し、日光などを遮断できて耐候性を有し、且つ、生地が薄くて軽量で収納時に嵩張らないような合成繊維のシートにて構成されている。
【００２０】
ここで、車体カバー収納具３４は、車体上面カバー１２及び両車体側面カバー２０を巻取／引出可能に構成されると共に、普通乗用車の図示しないトランクルームに収納可能な大きさにて構成されている。この車体カバー収納具３４は、車体上面カバー１２及び両車体側面カバー２０を巻取／引出可能な車体カバー巻取装置３６を備えている。
【００２１】
該車体カバー巻取装置３６は、車体上面カバー１２の巻取／引出が可能な上巻取具４０と、自動車５０の右側面６２を覆う車体側面カバー２０の巻取／引出が可能な右巻取具４２と、自動車５０の左側面６４を覆う車体側面カバー２０の巻取／引出が可能な左巻取具４４と、上巻取具４０、右巻取具４２、左巻取具４４を動作させるための駆動装置３８と、この駆動装置３８を動作させて車体上面カバー１２及び両車体側面カバー２０の巻取と引出の制御を行うための制御装置４６にて構成されている。
【００２２】
車体カバー収納具３４には制御装置４６や駆動装置３８、及び、蓄電池（図示せず）などが設けられており、この蓄電池は制御装置４６、及び、後述する駆動装置３８に接続されて、制御装置４６を動作させると共に駆動装置３８を動作させる。そして、車体カバー巻取装置３６に車体上面カバー１２及び両車体側面カバー２０が巻き取られた状態で、当該車体上面カバー１２及び両車体側面カバー２０は車体カバー収納具３４内に収納される。尚、自動車用車体カバー装置１０の動作は蓄電池に限られず、自動車５０のバッテリー、一般家庭用のＡＣ電源などで動作するようにしても差し支えない。
【００２３】
該制御装置４６は、図示しないが巻取スイッチと後述する洗車スイッチなどが設けられており、巻取スイッチと洗車スイッチは上巻取具４０、右巻取具４２、左巻取具４４をそれぞれ別々に動作できるように構成されている。また、制御装置４６は汎用のマイクロコンピュータにて構成されると共に、駆動装置３８を制御して、車体上面カバー１２及び両車体側面カバー２０の巻取と引出を所定回数行えるプログラムを備えている。
【００２４】
上巻取具４０は、車体上面カバー１２を巻取／引出可能な上巻取軸４１を備えている。この上巻取軸４１は、車体上面カバー１２にて自動車５０の上面５２が覆われた状態で、当該車体上面カバー１２を平行に巻き取って車体カバー収納具３４内に回収できるように、車体カバー収納具３４内の上部に水平に設けられている。該車体上面カバー１２は、左右の窓覆い片１６が車体上面カバー１２の上に折り畳まれた状態で、上巻取具４０（上巻取軸４１）に巻き取られる。
【００２５】
また、右巻取具４２は、右側の車体側面カバー２０を巻取／引出可能な右巻取軸４３を備えている。この右巻取軸４３は、右側の車体側面カバー２０にて自動車５０の右側面６２を覆った状態で平行に巻き取って車体カバー収納具３４内に回収できるように車体カバー収納具３４内の右側近傍に垂直に設けられている。
【００２６】
また、左巻取具４４は、左側の車体側面カバー２０を巻取／引出可能な左巻取軸４５を備えている。この左巻取軸４５は、左側の車体側面カバー２０にて自動車５０の左側面６４を覆った状態で平行に巻き取って車体カバー収納具３４内に回収できるように車体カバー収納具３４内の左側近傍に垂直に設けられている。
【００２７】
上巻取具４０、右巻取具４２、左巻取具４４にはそれぞれ駆動装置３８（図１では駆動装置３８を１箇のみ図示している。）が設けられている。該制御装置４６は、巻取スイッチが操作されると駆動装置３８を制御して上巻取具４０の上巻取軸４１に車体上面カバー１２をロール状に平行に巻き取る巻取／引出（巻取と巻き取った車体上面カバー１２及び両車体側面カバー２０を送り出す）可能に構成されている。
【００２８】
また、制御装置４６は、巻取スイッチが操作されると駆動装置３８を制御して右巻取具４２の右巻取軸４３に右側の車体側面カバー２０をロール状に平行に巻取／引出可能に構成されている。また、制御装置４６は、巻取スイッチが操作されると駆動装置３８を制御して左巻取具４４の左巻取軸４５に左側の車体側面カバー２０をロール状に平行に巻取／引出可能に構成されている。
【００２９】
上面覆い片１４の長手方向一側（自動車５０の後端部）は、車体カバー収納具３４に設けられた上巻取具４０に固定され、これによって上面覆い片１４は上巻取具４０に巻取／引出可能に構成されている。また、上面覆い片１４の長手方向他側（自動車５０の前端部）には、直行方向に所定の間隔を存して複数（実施例では２箇所）の上係合部材１８（本発明の係合部材に相当）が設けられている。この場合、上係合部材１８は、自動車５０の上面５２を上面覆い片１４にて覆った状態で、前照灯（図示せず）近傍に設けられている。
【００３０】
この上係合部材１８は、自動車５０の前端部（例えば、自動車５０の前照灯が取り付けられている前側に設けられたバンパー部６６）に着脱自在且つ係合可能に構成されている。詳しくは、上係合部材１８は、伸縮自在のゴム材にて構成されており、一端は上面覆い片１４に固定されると共に、他端には自動車５０前端部に設けられたバンパー部６６に引っ掛け可能な上係合片１９が設けられている。この上係合片１９によって、上係合部材１８は自動車５０の前端部に設けられたバンパー部６６に着脱自在且つ係合可能に構成されている。
【００３１】
前記両車体側面カバー２０の長手方向一側（自動車５０の後端部）は、車体カバー収納具３４に設けられた右巻取具４２及び左巻取具４４に固定され、これによって一方（右側）の車体側面カバー２０は右巻取具４２に、他方（左側）の車体側面カバー２０は左巻取具４４に、それぞれ単独で巻取／引出可能に構成されている。また、右側の車体側面カバー２０長手方向他側には、右係合部材２２（本発明の係合部材に相当）が複数（実施例では２箇所）所定の間隔で設けられており、この右係合部材２２も上係合部材１８同様に伸縮自在のゴム材にて構成されている。
【００３２】
また、左側の車体側面カバー２０長手方向他側には、右係合部材２２に対向して左係合部材２４が設けられている。複数の右係合部材２２と左係合部材２４は、両車体側面カバー２０の長手方向に対して直行方向両側近傍に設けられている。右係合部材２２と左係合部材２４は、両車体側面カバー２０にて自動車５０の左右両側面６２、６４を覆った状態で、左右前照灯の略中間に位置している。この場合、右係合部材２２を左側の車体側面カバー２０、左係合部材２４を右側の車体側面カバー２０に設けても差し支えない。
【００３３】
該右側の車体側面カバー２０に設けられた右係合部材２２の端部には右係合片２３が設けられており、この右係合片２３はループ形状に形成されている。また、左係合部材２４は右係合部材２２に係合可能なフック形状に形成されている。これら右係合片２３及び左係合部材２４は、容易に変形し難い、合成樹脂或いは容易に錆びない金属などにて構成されている。
【００３４】
即ち、両車体側面カバー２０にて自動車５０の左右両側面６２、６４を覆った状態で、右係合部材２２（右係合部材２２の右係合片２３）と左係合部材２４とを係合できるように構成されている。このとき、右係合部材２２は、両車体側面カバー２０が弛まない程度の張力、且つ、車体カバー巻取装置３６に巻き取られた両車体側面カバー２０が緩められた際、引き出し可能な張力で、左係合部材２４に係合される。
【００３５】
また、車体上面カバー１２（上面覆い片１４、窓覆い片１６）には、両車体側面カバー２０と着脱自在に複数の面ファスナー２６が設けられている。該面ファスナー２６は、例えばループとフックの噛み合わせによって相互に着脱自在の、所謂マジックテープ（登録商標）にて構成されており、図１では車体上面カバー１２には表面側にループを備えた面ファスナー２６、両車体側面カバー２０には裏面側にフックを備えた面ファスナー２６が設けられている。
【００３６】
そして、車体上面カバー１２にて自動車５０上面５２が覆われ、両車体側面カバー２０にて自動車５０の両側面６２、６４が覆われた状態で、車体上面カバー１２に設けられた面ファスナー２６と、両車体側面カバー２０に設けられた面ファスナー２６は相互に対向して着脱可能な位置に設けられている。即ち、車体上面カバー１２にて自動車５０の上面５２が覆われ、両車体側面カバー２０にて自動車５０の両側面６２、６４がそれぞれ覆われた状態で、車体上面カバー１２と両車体側面カバー２０は接続、取り外し可能に構成されている。
【００３７】
また、車体上面カバー１２及び両車体側面カバー２０の裏面には洗車部材２８が設けられており、車体上面カバー１２及び両車体側面カバー２０と洗車部材２８との間（本発明の内部に相当）には放水部材３０が設けられている。詳しくは、車体上面カバー１２にて自動車５０上面５２が覆われ、両車体側面カバー２０にて自動車５０の両側面６２、６４が覆われた状態で、これら車体上面カバー１２及び両車体側面カバー２０の自動車５０に接する面となる裏面には、タオル地或いは起毛などからなる洗車部材２８が設けられている。
【００３８】
また、車体上面カバー１２及び両車体側面カバー２０と洗車部材２８との間に設けられた放水部材３０は、可撓性を有するビニールやナイロンなどの合成樹脂チューブにて構成され、自動車５０上面５２及び両側面６２、６４に位置する箇所に所定の間隔（実施例では約１００ｍｍ間隔）を存して放水孔（図示せず）が設けられている。該放水部材３０は、車体カバー収納具３４内から車体上面カバー１２及び両車体側面カバー２０に配設され、先端部は閉塞されている。また、放水部材３０は、車体カバー収納具３４内に元部が設けられ、この元部から一般家庭用の水道栓に接続可能に構成されている。
【００３９】
そして、放水部材３０の元部が一般家庭用の水道栓に接続されて、放水部材３０内に水道水を流入させれば、その水道水は、放水部材３０に設けられた複数の放水孔から放水される。尚、車体カバー収納具３４には図示しない制御水弁が設けられており、自動車５０上面５２及び両側面６２、６４の何れかの洗車スイッチが操作された場合、制御装置４６は制御水弁を制御して操作された洗車スイッチに対応する上面カバー１２、右車体側面カバー２０、左車体側面カバー２０の何れかの放水部材３０に水道水が流入されるように構成されている。
【００４０】
前記制御装置４６は、駆動装置３８を制御することにより、車体カバー巻取装置３６に車体上面カバー１２及び両車体側面カバー２０を所定寸法巻き取り、その後引き出す動作（巻き取った車体上面カバー１２及び両車体側面カバー２０を送り出す）を繰り返す洗車モードを有している。この場合、車体上面カバー１２にて自動車５０上面５２が覆われ、上係合部材１８の上係合片１９が自動車５０の前端部に設けられたバンパー部６６に係合された状態で、制御装置４６にて車体上面カバー１２の洗車モードを選択できるように構成されている。また、両車体側面カバー２０にて自動車５０の両側面６２、６４が覆われ、右係合部材２２と左係合部材２４とが係合された状態で、制御装置４６にて両車体側面カバー２０の洗車モードを選択できるように構成されている。
【００４１】
以上の構成で、次に図２、図３を参照して自動車用車体カバー装置１０の使用例を説明する。まず、自動車５０のトランクルームに予め収納された自動車用車体カバー装置１０を取り出す。そして、自動車用車体カバー装置１０に予め設けられた図示しない取付具で自動車５０後端部のバンパー部６６又はトランクルームに固定する。尚、自動車用車体カバー装置１０を自動車５０後端部のバンパー部６６又はトランクルームに固定する取付具は一般的な取付具であるため詳細な説明を省略する。
【００４２】
次に、車体カバー収納具３４から車体上面カバー１２が引き出されて、自動車５０上面５２が覆われ、端部に設けられた上係合部材１８の上係合片１９が自動車５０の前端部に設けられたバンパー部６６に係合される。このとき、車体上面カバー１２には両車体側面カバー２０が接続されていないので、重量も軽く容易に自動車５０上面５２を覆うことができる。このとき、左右の窓覆い片１６は車体上面カバー１２の上に折り畳まれたままである。
【００４３】
次に、車体上面カバー１２が自動車用車体カバー装置１０から引き出されて、自動車５０上面５２が覆われ、上係合部材１８を伸張して先端に設けられた上係合片１９が、自動車５０の前端部に設けられたバンパー部６６に係合される。このとき、上係合部材１８は、伸縮自在に構成されているので、自動車５０上面５２を車体上面カバー１２にて略弛みなく覆うことができる。そして、車体上面カバー１２に折り畳まれた左右の窓覆い片１６を展開して、左右両側の窓を覆う。即ち、車体上面カバー１２及び左右の窓覆い片１６にて自動車５０上面５２及び左右の窓が覆われる。
【００４４】
次に、左右どちらか一方（例えば右側）の車体側面カバー２０が自動車用車体カバー装置１０から引き出され、自動車５０の右側側面が覆われる。このとき、車体上面カバー１２に設けられた上係合部材１８に、右係合部材２２の右係合片２３を仮り掛けしておく。そして、車体側面カバー２０の上部が自動車５０表面と車体上面カバー１２との間に入れられ、車体側面カバー２０に設けられた面ファスナー２６（フック側）と車体上面カバー１２に設けられた面ファスナー２６（ループ側）とが係合される。
【００４５】
次に、左側の車体側面カバー２０が自動車用車体カバー装置１０から引き出され、自動車５０の左側側面が覆われる。そして、左側の車体側面カバー２０端部に設けられた左係合部材２４に、車体上面カバー１２の上係合部材１８に仮り掛けした右係合部材２２の右係合片２３が引っ掛けられる。そして、車体側面カバー２０の上部を自動車５０表面と車体上面カバー１２との間に入れられ、車体側面カバー２０に設けられた面ファスナー２６（フック側）と車体上面カバー１２に設けられた面ファスナー２６（ループ側）とが係合される。このようにして、自動車用車体カバーで自動車５０表面が覆われる。
【００４６】
次に、自動車用車体カバーを、車体カバー収納具３４に収納する場合は、自動車用車体カバーにて自動車５０を覆った逆を行う。即ち、左側の車体側面カバー２０と車体上面カバー１２とが係合された面ファスナー２６（フック側）と面ファスナー２６（ループ側）とが外される。次に、左側の車体側面カバー２０端部に設けられた左係合部材２４に引っ掛けられた上係合部材１８と右係合部材２２の右係合片２３とが外される。
【００４７】
次に、制御装置４６に設けられた、図示しない左側の、車体側面カバー２０の巻取スイッチが操作される。左側の、車体側面カバー２０の巻取スイッチが操作されると、駆動装置３８が制御され、車体カバー巻取装置３６によって左側の車体側面カバー２０が左巻取具４４に巻き取られる。これによって、左側の車体側面カバー２０は巻き取られて、車体カバー収納具３４内に収納される。
【００４８】
そして、制御装置４６は、左巻取具４４にて左側の車体側面カバー２０の巻取が完了すると、駆動装置３８を制御して左巻取具４４を自動停止させる。この場合、左側の車体側面カバー２０端部を手で持って、左巻取具４４に対して張力を与えると共に、左側の車体側面カバー２０を自動車５０の側面に押し当てる。これにより、左側の車体側面カバー２０の裏面に設けられた、タオル地或いは起毛などからなる洗車部材２８にて側面が拭き取られるので、自動車５０側面のほこりや汚れが取り除かれて、常時自動車５０を綺麗な状態に維持させることができる。
【００４９】
次に、右係合部材２２の右係合片２３が、車体上面カバー１２に設けられた上係合部材１８に仮り掛けされる。そして、右側の車体側面カバー２０と車体上面カバー１２とが係合された面ファスナー２６（フック側）と面ファスナー２６（ループ側）とが外される。次に、制御装置４６に設けられた、図示しない右側の、車体側面カバー２０の巻取スイッチが操作されると、駆動装置３８が制御され、車体カバー巻取装置３６によって右側の車体側面カバー２０が左巻取具４４に巻き取られる。これによって、左側の車体側面カバー２０は巻き取られて、車体カバー収納具３４内に収納される。
【００５０】
そして、制御装置４６は、左巻取具４４にて左側の車体側面カバー２０の巻取が完了すると、駆動装置３８を制御して左巻取具４４を自動停止させる。この場合も、右側の車体側面カバー２０端部を手で持って、左巻取具４４に対して張力を与えると共に、左側の車体側面カバー２０を自動車５０の側面に押し当てる。これにより、右側の車体側面カバー２０の裏面に設けられた、タオル地或いは起毛などからなる洗車部材２８にて側面が拭き取られるので、自動車５０側面のほこりや汚れが取り除かれて、常時自動車５０を綺麗な状態に保つことが可能となる。
【００５１】
次に、左右の窓覆い片１６を車体上面カバー１２の上面に折り畳む。次に、制御装置４６に設けられた、図示しない車体上面カバー１２の巻取スイッチが操作されると、駆動装置３８が制御され、車体カバー巻取装置３６によって車体上面カバー１２が上巻取具４０に巻き取られる。これによって、車体上面カバー１２は巻き取られて、車体カバー収納具３４に収納される。
【００５２】
そして、制御装置４６は、上巻取具４０によって車体上面カバー１２の巻取が完了すると、駆動装置３８を制御して上巻取具４０を自動停止させる。この場合も、車体上面カバー１２の端部を手で持って、上巻取具４０に対して張力を与えると共に、車体上面カバー１２を自動車５０上面５２に押し当てる。これにより、車体上面カバー１２の裏面に設けられた、タオル地或いは起毛などからなる洗車部材２８にて側面が拭き取られるので、自動車５０側面のほこりや汚れが取り除かれて、自動車５０を常時綺麗に保つことが可能となる。尚、車体上面カバー１２及び両車体側面カバー２０が車体カバー収納具３４に収納されたならば、自動車用車体カバー装置１０は自動車５０のトランクルームに収納される。
【００５３】
次に、自動車５０の洗車（洗車モード）の説明を行う。即ち、自動車用車体カバー装置１０にて自動車５０の洗車を行うことができる。まず、自動車５０上面５２の洗車を説明する。尚、自動車５０は、車体上面カバー１２のみで覆われているものとする。そして、制御装置４６に設けられた、図示しない車体上面カバー１２の洗車スイッチが操作されると、上巻取具４０は車体上面カバー１２の巻取／引出動作を行う。
【００５４】
詳しくは、洗車スイッチが操作されると制御装置４６にて駆動装置３８が制御され、上巻取具４０にて車体上面カバー１２の巻取が行われると、上係合部材１８が伸張する。即ち、車体上面カバー１２が上巻取具４０の上巻取軸４１に巻き取られると、当該車体上面カバー１２は自動車５０上面５２に接触しながら所定寸法（実施例では例えば１００ｍｍ〜２００ｍｍ）後方に移動する。
【００５５】
次に、駆動装置３８が制御装置４６に制御され、上巻取具４０が逆回転されると、上巻取具４０の上巻取軸４１に巻き取られた車体上面カバー１２が緩められる（この場合、巻き取られた寸法分緩められる）。これにより、伸張させていた上係合部材１８が収縮復帰し、結果として、車体上面カバー１２は自動車５０上面５２に接触しながら上係合部材１８に引っ張られて所定寸前方に法移動する。
【００５６】
そして、制御装置４６はこれらの動作を予め決められた回数（例えば５回〜１０回）実行することにより、自動車５０上面５２の洗車が行われる。尚、自動車５０上面５２の洗車を行う場合、左右の窓覆い片１６は、車体上面カバー１２の上に折り畳んでおく。また、自動車５０上面５２の洗車を行う場合、ワイパー部分と、リヤガラスとトランク部５８の境で浮いてしまうので、上からローラーなどで押されてボンネット部５４とトランク部５８との全面に密着させれば、それらを綺麗に洗車することができる。
【００５７】
次に、自動車５０左右側面６２、６４の洗車を説明する。尚、自動車５０は、両車体側面カバー２０にて自動車５０の両側面６２、６４がそれぞれ覆われているものとする。自動車５０の側面を洗車する場合、右側の車体側面カバー２０に設けられた右係合部材２２の右係合片２３と、左側の車体側面カバー２０に設けられた左係合部材２４とが係合された状態で、制御装置４６に設けられた、図示しない右側の、車体側面カバー２０の洗車モードが選択される。
【００５８】
次に、制御装置４６に設けられた、図示しない右側の、車体側面カバー２０の洗車スイッチが操作されると、右巻取具４２にて右側の車体側面カバー２０の巻取／引出動作が行われる。詳しくは、自動車５０右側側面の洗車を行う場合、洗車スイッチが操作されると制御装置４６にて駆動装置３８が制御され、右巻取具４２にて右側の車体側面カバー２０の巻取が行われて、右係合部材２２が伸張する。結果として、右側の車体側面カバー２０が自動車５０の右側側面に接触しながら所定寸法（実施例では例えば１００ｍｍ〜２００ｍｍ）後方に移動し右巻取具４２の右巻取軸４３に巻き取られる。
【００５９】
次に、駆動装置３８は制御装置４６に制御され、右巻取具４２が逆回転されると、右巻取具４２の右巻取軸４３に巻き取られた右側の車体側面カバー２０が緩められる（この場合、巻き取られた寸法分緩められる）。これにより、伸張させていた右係合部材２２が収縮復帰し、結果として、右側の車体側面カバー２０は自動車５０の右側側面に接触しながら所定寸法右係合部材２２に引っ張られて前方に移動する。
【００６０】
そして、制御装置４６はこれらの動作を予め決められた回数（例えば５回〜１０回）実行することにより、自動車５０右側側面の洗車が行われる。このとき、自動車５０の側面を放水部材３０に設けられた複数の放水孔から放水しながら洗車が行われると、洗車部材２８が水を含み重くなって垂れてしまう。そこで、洗車部材２８が垂れてしまうのを防止するため、予め図示しない吊るし具によって両車体側面カバー２０が自動車５０の屋根部５６から吊されている。これによって、車体側面カバー２０は自動車５０の前後方向に移動可能となるので、自動車５０側面の洗車を行うことが可能となる。
【００６１】
また、自動車５０の左側側面を洗車する場合も、右側側面を洗車する場合と同様、両車体側面カバー２０にて自動車５０の両側面６２、６４がそれぞれ覆われているものとする。そして、右側の車体側面カバー２０に設けられた右係合部材２２の右係合片２３と、左側の車体側面カバー２０に設けられた左係合部材２４とが係合された状態で、制御装置４６に設けられた、図示しない左側の、車体側面カバー２０の洗車モードが選択される。
【００６２】
次に、制御装置４６に設けられた、図示しない左側の、車体側面カバー２０の洗車スイッチが操作されると、左巻取具４４にて左側の車体側面カバー２０の巻取／引出動作が行われる。詳しくは、自動車５０右側側面の洗車を行う場合、洗車スイッチが操作されると制御装置４６にて駆動装置３８が制御され、左巻取具４４にて左側の車体側面カバー２０の巻取が行われると、右係合部材２２が伸張する。結果として、左側の車体側面カバー２０が自動車５０の左側側面に接触しながら所定寸法（実施例では例えば１００ｍｍ〜２００ｍｍ）前後に移動し左巻取具４４の左巻取軸４５に巻き取られる。
【００６３】
次に、駆動装置３８は制御装置４６に制御されて、左巻取具４４を逆回転させ、巻き取られた左側の車体側面カバー２０が緩められる（この場合、巻き取られた寸法分緩められる）と、伸張した上右係合部材２２が収縮する。結果として、左側の車体側面カバー２０は自動車５０の左側側面に接触しながら所定寸法前側（左係合部材２４側）に引っ張られて移動を行う。制御装置４６がこれらの動作を予め決められた回数実行することにより、自動車５０左側側面の洗車が行われる。
【００６４】
このときも、自動車５０の右側側面を洗車する場合同様に、自動車５０の側面を放水部材３０に設けられた複数の放水孔から放水しながら洗車が行われると、洗車部材２８が水を含み重くなって垂れてしまう。そこで、洗車部材２８が垂れてしまうのを防止するため、予め図示しない吊るし具によって両車体側面カバー２０が自動車５０の屋根部５６から吊されている。これによって、車体側面カバー２０は自動車５０の前後方向に移動可能となるので、自動車５０側面の洗車を行うことが可能となる。
【００６５】
このように、自動車用車体カバー装置１０は、車体上面カバー１２と、一対の車体側面カバー２０と、自動車５０の前後何れか一端部に着脱自在に取り付け可能とされた車体カバー収納具３４とを備えている。また、車体カバー収納具３４は、車体上面カバー１２及び両車体側面カバー２０を巻取／引出可能な車体カバー巻取装置３６を有している。そして、車体上面カバー１２及び両車体側面カバー２０が車体カバー巻取装置３６に巻き取られた状態で、当該車体上面カバー１２及び両車体側面カバー２０は車体カバー収納具３４内に収納される。
【００６６】
また、車体上面カバー１２及び両車体側面カバー２０が車体カバー巻取装置３６から引き出された状態で、車体上面カバー１２は少なくとも自動車５０の上面５２を覆い、両車体側面カバー２０は少なくとも自動車５０の両側面をそれぞれ覆って車体上面カバー１２と接続可能に構成されているので、車体上面カバー１２と両車体側面カバー２０とをそれぞれ別々に車体カバー巻取装置３６（上巻取具４０、右巻取具４２、左巻取具４４）に巻き取り、別々に展開されることにより、車体カバー収納具３４に収納、引き出しが容易に行えると共に、自動車用車体カバーを巻き取ることにより嵩張りを最小限に抑えることができる。これにより、従来のように１枚で自動車５０上面５２及び側面全体を覆う自動車用車体カバーのような嵩張りも解消でき、極めて容易に取り扱うことができるようになる。また、自動車用車体カバーを、車体上面カバー１２と一対の車体側面カバー２０とに３分割して、それぞれ別々に巻取／引出可能に構成しているので、更に、取り扱いが容易となる。
【００６７】
特に、自動車用車体カバー（車体上面カバー１２と両車体側面カバー２０）が車体カバー巻取装置３６から引き出された状態で、車体上面カバー１２と両車体側面カバー２０とを平面状に形成されているので、車体上面カバー１２と両車体側面カバー２０を容易に、車体カバー収納具３４に収納、引き出しを行うとが可能となる。また、車体上面カバー１２単独で自動車５０上面５２を覆うことができ、また、両車体側面カバー２０を単独で自動車５０の左右両側面をそれぞれ覆うことができるので、自動車用車体カバーを極めて容易に自動車５０に装着することができる。
【００６８】
また、車体上面カバー１２及び両車体側面カバー２０は、端部に設けられて自動車５０の端部（前のバンパー部６６）に着脱自在に係合可能な伸縮自在の係合部材（上係合部材１８、右係合部材２２）と、裏面に設けられた洗車部材２８と、内部に設けられた放水部材３０とを有している。また、車体カバー巻取装置３６は、駆動装置３８（上巻取具４０、右巻取具４２、左巻取具４４）と、この駆動装置３８を制御する制御装置４６とを有している。そして、制御装置４６は、駆動装置３８を制御することにより、車体上面カバー１２及び両車体側面カバー２０をそれぞれ所定寸法車体カバー巻取装置３６に巻き取り、その後引き出す動作（巻き取った車体上面カバー１２及び両車体側面カバー２０を送り出す）を繰り返す洗車モードを有している。
【００６９】
そして、制御装置４６にて放水部材３０から放水させ、駆動装置３８を制御して、車体上面カバー１２及び両車体側面カバー２０を所定寸法巻き取って係合部材を伸張し、その後駆動装置３８を逆回転させて係合部材（上係合部材１８、右係合部材２２）を収縮させる動作を繰り返す。これにより、車体上面カバー及び両車体側面カバーを前後に移動させることにより洗車部材にて自動車の洗車を行うことができるので、セダンタイプの屋根の低い通常自動車の洗車は勿論のこと、ミニバンなど屋根の高い自動車の洗車も楽に行うことができる。従って、紫外線や雨、雪、ほこりや汚れなどの自然環境から車体を保護し、且つ、自動車の洗車及び洗車部材の洗浄も行えるので、総じて自動車用車体カバー装置の利便性を大幅に向上させることができる。
【００７０】
また、車体上面カバー１２及び両車体側面カバー２０で自動車５０上面５２と側面を覆うことで、紫外線や雨、雪、ほこりや汚れなどの自然環境から車体を保護し、且つ、洗車が行えるので、総じて自動車用車体カバー装置１０の利便性を大幅に向上させることができる。また、放水部材３０から放水して自動車５０の洗車を行うことで、同時に自動車用車体カバーも水洗いされるので、自動車５０と自動車用車体カバーとの双方を常に綺麗に維持させることができる。これにより、自動車用車体カバー装置１０の利便性を更に向上させることができる。
【００７１】
また、水道栓に放水部材３０を接続しなければ、各洗車モードにおいても、放水部材３０内に水道水が流入されないので、放水部材３０から水道水を流出させない洗車モード、即ち、拭き取りモードとなる。これにより、自動車５０外面に付着したほこりや汚れを拭き取って取り除くことができる。従って、労力をかけずに自動車５０外面を綺麗にすることができる。
【００７２】
尚、実施の形態では、車体上面カバー１２と両車体側面カバー２０とを面ファスナー２６にて係合させたが、両車体側面カバー２０を自動車５０に保持するため、当該両車体側面カバー２０の裏面側にゴム系板磁石を設けても差し支えない。これにより、両車体側面カバー２０を自動車５０に強固に保持することができるので、両車体側面カバー２０が強風でずれてしまうなどと言った不都合を防止することができる。
【００７３】
また、車体カバー収納具３４を自動車５０後端部のバンパー部６６又はトランクルームに固定するように構成したが、当該車体カバー収納具３４が自動車５０後端部のバンパー部６６又はトランクルームに固定できない場合、車体カバー収納具３４の下部に折り畳み自在、高さ調整自在の支柱を複数設けて、バンパー部６６又はトランクルームに車体カバー収納具３４を固定したのと同様にしても差し支えない。この場合、バンパー部６６或いはトランクルームが、地面から高さの異なる自動車５０などであっても、支柱で高さを調整すれば車体カバー収納具３４を好適な高さに設置することができる。これにより、車体カバー収納具３４を容易に設置することができ、異なる車種の自動車５０にでも確実に自動車用車体カバー装置１０を使用することができる。このように、構成された車体カバー収納具３４は、高さをボンネット部５４に合わせれば、自動車５０の前側に設置して使用することもでき、自動車５０の後側に車体カバー収納具３４を設置できない場合に便利である。
【００７４】
また、実施形態では自動車用車体カバー装置１０の形状や寸法などを記載したが、自動車用車体カバー装置１０の要旨を逸脱しない範囲内で形状や寸法などを変更しても良いのは言うまでもない。勿論本発明は、上記実施例のみに限定されるものではなく、この発明の趣旨を逸脱しない範囲で他の様々な変更を行っても本発明は有効である。
【符号の説明】
【００７５】
１０  自動車用車体カバー装置
１２  車体上面カバー
１４  上面覆い片
１６  窓覆い片
１８  上係合部材
１９  上係合片
２０  車体側面カバー
２２  右係合部材
２３  右係合片
２４  左係合部材
２６  面ファスナー
２８  洗車部材
３０  放水部材
３４  車体カバー収納具
３６  車体カバー巻取装置
３８  駆動装置
４０  上巻取具
４１  上巻取軸
４２  右巻取具
４３  右巻取軸
４４  左巻取具
４５  左巻取軸
４６  制御装置
５０  自動車
５２  上面
５４  ボンネット部
５６  屋根部
５８  トランク部
６０  窓部
６２  右側面
６４  左側面
６６  バンパー部
【図１】
2013056634.tif 000003
【図２】
2013056634.tif 000004
【図３】
2013056634.tif 000005